(57)【要約】【課題】  ハンズフリー通話やカメラ動作の為の操作ボタンを設けることなく双方の操作を可能とする。【解決手段】  モニタ２１前面にタッチパネル２５を設け、モニタ２１及びタッチパネル２５を制御するタッチパネル制御回路２８ａを居室親機２に備えた。タッチパネル制御回路２８ａにより、玄関子機１から呼び出しが成された際にモニタ２１をタッチ操作すると通話モードに移行して通話を可能とし、再度モニタ２１をタッチ操作すると待受モードに移行して通話を不能とした。また、待受時にモニタ２１をタッチ操作するとモニタモードに移行させてカメラ１１の撮像映像をモニタ２１に出画させた。【選択図】  図２
2005223737.tif 000002
【特許請求の範囲】
【請求項１】
玄関に設置されて、来訪者が居住者を呼び出すための呼出ボタン、居住者と通話するためのマイクおよびスピーカ、更に来訪者を撮像するカメラを有する玄関子機と、住戸内に設置されて、居住者が来訪者とハンズフリー通話をするための通話部、前記カメラで撮像された映像を出画するモニタを有する居室親機とが伝送線で接続されて成るインターホンシステムにおいて、
前記居室親機は、前記モニタ前面にタッチパネルを備えると共に、前記モニタ及び前記タッチパネルを制御するタッチパネル制御回路を備え、前記タッチパネル制御回路は、前記玄関子機からの呼出時に前記モニタがタッチ操作されると通話モードに移行させ、再度前記モニタがタッチ操作されると待受モードに移行させる制御をすることを特徴とするインターホンシステム。
【請求項２】
前記タッチパネル制御回路は、前記待受モード時に前記モニタがタッチ操作されると、前記カメラの撮像映像を出画させるモニタモードに移行させ、前記モニタモードの前記モニタがタッチ操作されると前記待受モードに移行させる制御をすることを特徴とする請求項１記載のインターホンシステム。
【請求項３】
前記タッチパネル制御回路は、前記待受モード時に前記モニタがタッチ操作されると、前記モニタモードに移行するためのモニタボタン、或いは前記通話モードに移行するための通話ボタンを前記モニタに表示するメニューモードに移行させ、更に表示された前記ボタンがタッチ操作されると前記モニタモード或いは前記通話モードに移行させる制御をし、各々の前記モードに移行後、再度前記モニタがタッチ操作されると前記待受モードに移行させる制御を実施することを特徴とする請求項１記載のインターホンシステム。
【請求項４】
前記タッチパネル制御回路は、前記玄関子機からの呼出時に前記モニタに前記通話ボタンを表示させ、前記通話ボタンがタッチ操作された後は終話ボタンを表示させ、更に前記通話ボタン、終話ボタンが表示された箇所が操作されたときのみ制御動作を実施することを特徴とする請求項３記載のインターホンシステム。
【請求項５】
前記タッチパネル制御回路は、前記カメラの撮像映像を出画する領域と前記通話ボタン及び終話ボタンの表示領域とを分離し、前記モニタ上に分割表示させることを特徴とする請求項４記載のインターホンシステム。
【請求項６】
前記居室親機は来訪者と通話するためのハンドセットを備え、前記タッチパネル制御回路は、前記ハンドセットがフックアップされた状態では、前記タッチパネルの操作を無効とすることを特徴とする請求項１乃至５の何れかに記載のインターホンシステム。  
【請求項７】
前記タッチパネル制御回路は、前記玄関子機から呼び出しが成されたら前記モニタの所定箇所の表示を変化させる制御をし、呼出中であることを居住者が前記モニタから視認可能としたことを特徴とする請求項１乃至６の何れかに記載のインターホンシステム。
【請求項８】
前記通話モードに移行したら、前記タッチパネル制御回路は、前記モニタの所定箇所の表示を変化させる制御をし、居住者が通話モードであることを前記モニタから視認可能としたことを特徴とする請求項１乃至７の何れかに記載のインターホンシステム。
【請求項９】
前記タッチパネル制御回路は、前記通話モードの状態が、居住者から来訪者への送話が可能な送話状態であるか、来訪者から居住者への受話が可能な受話状態であるか、前記モニタの所定箇所の表示を変化させる制御をし、居住者が前記モニタから通話モードの状態を視認可能としたことを特徴とする請求項８に記載のインターホンシステム。
【請求項１０】
前記呼出中、或いは前記通話モードであることのモニタ所定箇所の表示の変化は、点灯または点滅の変化であることを特徴とする請求項７乃至９の何れかに記載のインターホンシステム。
【請求項１１】
モード変化があった際に変化させる前記モニタの所定箇所が、前記モニタの周囲縁部であることを特徴とする請求項７乃至１０の何れかに記載のインターホンシステム。
【発明の詳細な説明】
【技術分野】
【０００１】
本発明は、来訪者と居住者との通話を可能とするインターホンシステムに関し、特にタッチパネルの操作によりハンズフリー通話ができるインターホンシステムに関する。
【背景技術】
【０００２】
玄関子機に来訪者を撮像するカメラを設け、居室親機にその撮像映像を出画させるモニタを設けたインターホンシステムは、室内に居ながら来訪者を確認でき、防犯性に優れているため普及が進んでいる。このようなインターホンシステムでは、来訪者が玄関子機を操作しなくても室内からカメラを動作させて玄関の様子を確認できるモニタボタンが居室親機に設けられているし、ハンズフリー通話が可能な場合は、更に通話ボタンが設けられている。（例えば、特許文献１参照）
更に、そのような操作ボタンは、操作しやすいように大きいものが使用されていた。（例えば、特許文献２参照）
【０００３】
【特許文献１】特開平２００３−２０９６２６号公報
【特許文献２】特開平２００２−６４６０６号公報
【発明の開示】
【発明が解決しようとする課題】
【０００４】
上述するように、従来のインターホンシステムは、居室親機に複数の操作ボタンが設けられていたため、居室親機の部品点数が多かったし、それらボタンは居室親機の多くの部分を専有していたため、デザインも制限されていた。
そこで、本発明はこのような問題点に鑑み、カメラ動作の為のボタンやハンズフリー通話の為のボタンを設けることなく、双方の操作を可能とするインターホンシステムを提供することを目的とする。
【課題を解決するための手段】
【０００５】
上記課題を解決するために、請求項１の発明は、玄関に設置されて、来訪者が居住者を呼び出すための呼出ボタン、居住者と通話するためのマイクおよびスピーカ、更に来訪者を撮像するカメラを有する玄関子機と、住戸内に設置されて、居住者が来訪者とハンズフリー通話をするための通話部、カメラで撮像された映像を出画するモニタを有する居室親機とが伝送線で接続されて成るインターホンシステムにおいて、居室親機は、モニタ前面にタッチパネルを備えると共に、モニタ及びタッチパネルを制御するタッチパネル制御回路を備え、タッチパネル制御回路は、玄関子機からの呼出時にモニタがタッチ操作されると通話モードに移行させ、再度モニタがタッチ操作されると待受モードに移行させる制御をすることを特徴とする。
この発明により、ハンズフリー通話が可能であっても、その為に、通話ボタン，終話ボタンを別途設ける必要がなくなり、部品点数を削減でき、居室親機の機器構成を簡素化させることが可能となる。また、従来のような操作ボタンが必要なくなるので、居室親機のデザインの自由度が増し、より個性的な形状を創作し易くなる。
【０００６】
請求項２の発明は、請求項１に記載の発明において、タッチパネル制御回路は、待受モード時にモニタがタッチ操作されると、カメラの撮像映像を出画させるモニタモードに移行させ、モニタモードのモニタがタッチ操作されると待受モードに移行させる制御をすることを特徴とする。
この発明により、モニタボタンを別途設ける必要がなくなり、部品点数を更に削減できるし、居室親機のデザイン自由度も更に増す。
【０００７】
請求項３の発明は、請求項１に記載の発明において、タッチパネル制御回路は、待受モード時にモニタがタッチ操作されると、モニタモードに移行するためのモニタボタン、或いは通話モードに移行するための通話ボタンをモニタに表示するメニューモードに移行させ、更に表示されたボタンがタッチ操作されるとモニタモード或いは通話モードに移行させる制御をし、各々のモードに移行後、再度モニタがタッチ操作されると待受モードに移行させる制御を実施することを特徴とする。
この発明により、通話ボタン、終話ボタンが表示されるので、使用者（居住者）に対して操作が分かりやすく、安心して操作できる。
【０００８】
請求項４の発明は、請求項３に記載の発明において、タッチパネル制御回路は、玄関子機からの呼出時にモニタに通話ボタンを表示させ、通話ボタンがタッチ操作された後は終話ボタンを表示させる制御をし、更に通話ボタン、終話ボタンが表示された箇所が操作されたときのみ制御動作を実施することを特徴とする。
この発明により、来訪者映像が出画されたモニタ画面上に操作ボタンも表示されるので、使用者は来訪者を見ながらボタン操作でき、操作し易いし来訪者を十分観察できる。
【０００９】
請求項５の発明は、請求項１乃至４の何れかに記載の発明において、居室親機は来訪者と通話するためのハンドセットを備え、タッチパネル制御回路は、ハンドセットがフックアップされた状態では、タッチパネルの操作を無効とすることを特徴とする。  
この発明により、ハンドセットを有していても、ハンドセット通話とタッチパネル操作によるハンズフリー通話の何れか一方のみ有効となり、誤操作を防止させることができる。
【００１０】
請求項６の発明は、請求項４に記載の発明において、タッチパネル制御回路は、カメラの撮像映像を出画する領域と通話ボタン及び終話ボタンの表示領域とを分離し、モニタ上に分割表示させることを特徴とする。
この発明により、来訪者の映像と操作ボタンが分割表示されるので、来訪者が見づらくなることがないし、タッチパネルは小さいもので済む。
【００１１】
請求項７の発明は、請求項１乃至６の何れかに記載の発明において、タッチパネル制御回路は、玄関子機から呼び出しが成されたらモニタの所定箇所の表示を変化させる制御をし、呼出中であることを居住者がモニタから視認可能としたことを特徴とする。
この発明により、居住者は、呼び出しが成されていることをモニタ画面から知ることができる。
【００１２】
請求項８の発明は、請求項１乃至７の何れかに記載の発明において、通話モードに移行したら、タッチパネル制御回路は、モニタの所定箇所の表示を変化させる制御をし、通話モードであることを居住者がモニタから視認可能としたことを特徴とする。
この発明により、居住者は、通話モードであることをモニタ画面から認識できる。
【００１３】
請求項９の発明は、請求項８に記載の発明において、タッチパネル制御回路は、通話モードの状態が、居住者から来訪者への送話が可能な送話状態であるか、来訪者から居住者への受話が可能な受話状態であるか、モニタの所定箇所の表示を変化させる制御をし、居住者がモニタから通話モードの状態を視認可能としたことを特徴とする。
この発明により、居住者は、通話モードが、送話状態或いは受話状態の何れであるかモニタ画面から認識できる。
【００１４】
請求項１０の発明は、請求項７乃至９の何れかに記載の発明において、呼出中、或いは通話モードであることのモニタ所定箇所の表示の変化は、点灯または点滅の変化であることを特徴とする。
この発明により、点灯或いは点滅させるだけの簡易な操作で表示の変化を実施するので、簡易な制御で実施できる。
【００１５】
請求項１１の発明は、請求項７乃至１０の何れかに記載の発明において、モード変化があった際に変化させるモニタの所定箇所が、モニタの周囲縁部であることを特徴とする。
この発明により、モニタの周囲を点滅，点灯等の表示動作をさせるので、出画される映像にほとんど影響を与えることはない。
【発明の効果】
【００１６】
このように、本発明によれば、ハンズフリー通話をおこなうための通話ボタン，終話ボタン等の操作ボタンをモニタ前面に設けたタッチパネル上に設けることにより、居室親機の部品点数を削減することができ、居室親機の構成を簡素化することができる。
また、従来のような操作ボタンが必要なくなるので、居室親機のデザインの自由度が増し、より個性的な形状を創作し易くなる。
【発明を実施するための最良の形態】
【００１７】
以下、本発明を具体化した実施の形態を、図面に基づいて詳細に説明する。図１は本発明に係るインターホンシステムの構成図を示し、１は玄関に設置される玄関子機、２は住戸内に設置される居室親機であり、両者は伝送線３を介して接続されている。そして、玄関子機１は、来訪者を撮像するカメラ１１、居住者を呼び出す呼出ボタン１２、居住者と通話するためのマイク１３及びスピーカ１４を備え、居室親機２は、カメラ１１の撮像映像を出画するモニタ２１、来訪者とハンズフリーで通話するためのマイク２２及びスピーカ２３から成る通話部、その通話部を使用せずに通話するためのハンドセット２４、そしてタッチパネル２５を備えている。このタッチパネル２５は、モニタ２１の前面全体に設けられている。
【００１８】
また、図２は居室親機２のブロック図を示している。図２に示すように、居室親機２は、玄関子機１から送られてきた映像信号を復調する復調回路２６、ハンドセット２４により動作するフックスイッチ２７、システムの各回路を制御するＣＰＵ２８、伝送線３を接続するためのＩＦ回路（インターフェイス回路）２９、そしてマイク２２及びスピーカ２３によるハンズフリーでの通話を可能とする、或いはハンドセット２４により通話を可能とする通話回路３０が内蔵されている。尚、ＣＰＵ２８は、モニタ２１及びタッチパネル２５を制御するタッチパネル制御回路２８ａを内蔵している。
【００１９】
このように構成されたインターホンシステムは次のように動作する。まず、玄関子機１及び居室親機２が操作されない状態ではシステムは待受状態（待受モード）にあり、モニタ２１には何も出画されていないし、通話もできない状態となっている。そして、来訪者が玄関子機１の呼出ボタン１２を押下すると、伝送線３を介して居室親機２に呼出信号が伝送され、同時に玄関子機１のカメラ１１が撮像を開始する。そして、居室親機２のＣＰＵ２８は、この呼出信号を受けて、スピーカ２３から呼出音を鳴動させると共に、玄関子機１から伝送されてきたカメラ１１の映像信号を、復調回路２６を介してモニタ２１にて出画させる。こうして呼出状態となる。
【００２０】
図３はこの呼出状態でのモニタ２１の画面説明図であり、来訪者映像が出画されると共に、通話が可能なモニタ２１の周囲縁部２１ａが点滅し、呼出状態であることを居住者に知らせる。更に、通話モードに入るための通話ボタン２１ｂが表示される。このような周囲縁部２１ａの点滅表示や通話ボタン２１ｂの表示は、タッチパネル制御回路２８ａに予めプログラムすることで実施される。  
尚、呼出状態の表示は、縁部２１ａの点滅に限らず、モニタ２１上に「呼出中」と表示しても良いし、モニタ２１全体を点滅させてもよく、このようなモニタ２１の動作及び、タッチパネル操作による各種制御動作はタッチパネル制御回路２８ａにより成される。
【００２１】
このような呼出状態において居住者が応答する場合は、モニタ２１の所定箇所に表示された通話ボタン２１ｂをタッチ操作する。すると、タッチ操作したことがＣＰＵ２８のタッチパネル制御回路２８ａで検出され、通話モードに移行し、モニタ２１の周囲縁部２１ａが点滅から点灯状態に移行し、居住者は通話モードに入ったことを視認できる。
こうして、玄関子機１と居室親機２間でハンズフリー通話が可能となり、玄関子機１と居室親機２のマイク２２及びスピーカ２３との間で通話ができる。そして、通話を終了する場合は、再度タッチパネル２５をタッチ操作する。つまりモニタ２１上に表示される終話ボタン（図示せず）を押下することにより待受モードに移行する。
【００２２】
尚、通話ボタン２１ｂを表示することなく、来訪者が表示された映像（モニタ全体のどこか１箇所）をタッチ操作して通話モードに入るようにしてもよいし、終話する場合も、終話ボタンを表示することなく、来訪者映像を出画しているモニタ２１のどこか１ヶ所をタッチ操作して待受モードに移行するようにしてもよい。
また、この実施形態では、ハンドセット２４を備えているため、ハンズフリー通話をせずにハンドセット２４を用いて通話することもできる。この場合、ハンドセット２４をフックアップして応答すれば良く、フックスイッチ２７がフックオフされることにより、ＣＰＵ２８によってタッチパネル操作、及びマイク２２，スピーカ２３による応答ができなくなるように制御される。これにより誤動作を防ぐことができる。
【００２３】
次に、待受モードからカメラ１１を動作させるモニタモードへ移行させる操作について説明する。待受モードにおいて、モニタ２１の任意部位をタッチ操作すると、モニタ２１上にメニュー画面が表示される（図示せず）。このメニュー画面にはモニタモードに移行するモニタボタン、通話モードに移行する通話ボタン等が表示され、表示されたモニタボタンをタッチ操作することにより、カメラ１１が撮像を開始し、その映像がモニタ２１に出画される。こうして、モニタ２１に玄関周辺の映像が映し出される。
また、再度モニタ２１をタッチ操作（画面のタッチ、またはモニタボタンの再タッチ）すると待受モードにもどる。
尚、ここでは、消画された状態でタッチ操作するとメニュー画面が表示され、その画面からモニタボタンを選択するようにしたが、消画された状態でタッチ操作するとモニタモードにいきなり移行するようにしてもよい。
【００２４】
このように、モニタ上にタッチパネルを設けて、通話ボタン，終話ボタン、モニタボタン等の操作ボタンをタッチパネル上に設定したので、ハンズフリー通話が可能であっても、従来のように操作ボタンを別途設ける必要がなくなり、部品点数を削減でき、居室親機の機器構成を簡素化させることが可能となる。また、従来のような操作ボタンが必要なくなるので、居室親機のデザインの自由度が増し、より個性的な形状を創作し易くなる。
また、操作ボタンをモニタに表示すれば、タッチ操作する際にタッチ位置が分かりやすく、使用者は安心して操作できるし、操作スイッチはモニタ内に設けられるので、来訪者映像に近接して配置され、来訪者を観察しながらボタン操作ができる。
更に、モニタ周囲縁部の表示状態が、呼出中、通話モードで変化するので、モニタを見るだけで認識でき、使用者は現在のモード状態を把握し易いし、モニタ周囲が変化するだけなので、出画される映像に殆ど影響を与えることがな。そして、点灯或いは点滅させるだけの簡易な操作で表示の変化を実施させるので簡易な制御で済む。
【００２５】
尚、上記実施形態は、戸建て住宅に設置する構成で説明したが、これに限定されず集合住宅インターホンシステムに用いることもできる。この場合、図１の玄関子機１は集合玄関機になり、居室親機２は各居室に設置される。
また、通話モードへ移行したことをモニタ２１の周囲縁部の点灯により表示させているが、通話モードには送話状態と受話状態があり、通話モードが何れの状態にあるか識別できるようにモニタ２１の表示を変化させても良い。例えば、点灯させたモニタ周囲縁部の色を変更させて識別するようにすると良い。
また、来訪者を出画する領域と、操作ボタンの表示領域をモニタ画面上で完全に分割しても良く、そうすることで来訪者映像が、操作ボタン表示で見づらくなるようなことが無い。
【図面の簡単な説明】
【００２６】
【図１】本発明の実施形態の一例を示すインターホンシステムの構成図である。
【図２】図１の居室親機のブロック図である。
【図３】呼出状態のモニタ画面の一例を示す画面説明図である。
【符号の説明】
【００２７】
１・・玄関子機、２・・居室親機、３・・伝送線、１１・・カメラ、１２・・呼出ボタン、１３・・マイク、１４・・スピーカ、２１・・モニタ、２２・・マイク、２３・・スピーカ、２４・・ハンドセット、２５・・タッチパネル、２７・・フックスイッチ、２８ａ・・タッチパネル制御回路。
【図１】
2005223737.tif 000003
【図２】
2005223737.tif 000004
【図３】
2005223737.tif 000005